(57)【要約】      （修正有）【課題】ティッシュペーパー等の衛生用紙やスポンジ、綿、布等の弾性圧縮可能な内容物を圧縮した状態で箱内に保持することにより、保管コストや運搬コストを削減し、且つ消費者の利便性を向上させる弾性圧縮可能な内容物を圧縮状態にて保持する箱の提供。【解決手段】上箱１と下箱２とで構成される弾性圧縮可能な内容部を収納する箱において、上箱および下箱のうち一方には引っ掛け部である突出部４ａ・４ｂを、他方には受け部である受け孔７ａ・７ｂを形成することにより、内容物の弾性および膨張性等を利用して突出部４ａ・４ｂと受け孔７ａ・７ｂが引っ掛かり、内容物を弾性圧縮状態にて保持する箱の構造とする。また、突出部連接片にミシン目６を施し、消費者の親指等により押し破ることにより切り取り、その延長上に形成された突出部を取り除くことにより保持力を解除する。【選択図】図１
2009179359.tif 000002
【特許請求の範囲】
【請求項１】
天面から連接する4つの側面（１ａ・１ｂ・１ｃ・１ｄ）にて構成される上箱（１）と、底面から連接する4つの側面（２ａ・２ｂ・２ｃ・２ｄ）にて構成される下箱（２）とで構成されるティッシュペーパー等の衛生用紙やスポンジ、綿、布等の弾性圧縮可能な内容部を収納する箱において、上箱および下箱のうち一方には引っ掛け部である突出部を、他方には受け部である受け孔を形成することにより、内容物の弾性および膨張性および衛生用紙等の集合体の圧縮に対する反発力を利用して突出部と受け孔が、部品点数を増加することなく、内容物を弾性圧縮状態にて保持する構造の箱であることを特徴とする弾性圧縮可能な内容物を圧縮状態にて保持する箱。
【請求項２】
前記箱において、上箱（１）および下箱（２）の1つ以上の側面に形成されたミシン目（６）を施した突出部連接片（５）を親指等により押し破ることにより切り取り、その延長上に形成された突出部（４ａ）と受け孔（７ａ）との引っ掛け部を解除することにより保持力を解除できることを特徴とする請求項１記載の弾性圧縮可能な内容物を圧縮状態にて保持する箱。
【請求項３】
前記上箱（１）と下箱（２）が使用中に抜けて離れることを防止するため、上箱および下箱のうち一方には引っ掛け部である突出部（４ｂ）を、他方には受け部である受け孔（７ｂ）を、上箱側面の下端部と、下箱側面の上端部に形成することにより、部品点数を増加することなく、上箱と下箱が抜けて離れることを防ぐことを特徴とする請求項１および２のいずれかに記載の弾性圧縮可能な内容物を圧縮状態にて保持する箱。
【請求項４】
前記突出部（４ａ・４ｂ）を受ける受け孔（７ａ・７ｂ）において、平行する２つの側面（例えば２ｂ・２ｄ）から連接する１対のフラップ（１０ａ・１０ｂ）とそのフラップに部分的に接着剤等により接合された接合相手の側面（例えば２ａ）との間に引っ掛け部である突出部（４ａ・４ｂ）が侵入することが可能な構造とすることにより、突出部（４ａ・４ｂ）がフラップ（１０ａ・１０ｂ）と接合相手の側面（２ａ）との間に侵入し、内容物の弾性および膨張性および衛生用紙等の集合体の圧縮に対する反発力を利用して突出部（４ａ・４ｂ）が２つの面に挟さまれることにより引っ掛かることを特徴とする請求項１〜３のいずれかに記載の弾性圧縮可能な内容物を圧縮状態にて保持する箱。
【請求項５】
前記突出部（４ａ・４ｂ）を受ける受け孔（７ａ・７ｂ）において、受け孔を有する側面（２ａ）から連接して、折り返した連接片（１２）を形成することにより、側面（２ａ）と連接片（１２）の間に突出部（４ａ・４ｂ）が侵入することが可能な構造とすることにより、突出部（４ａ・４ｂ）が側面（２ａ）と連接片（１２）との間に侵入し、内容物の弾性および膨張性および衛生用紙等の集合体の圧縮に対する反発力を利用して突出部（４ａ・４ｂ）が２つの面に挟まれることにより引っ掛かることを特徴とする請求項１〜４のいずれかに記載の弾性圧縮可能な内容物を圧縮状態にて保持する箱。
【請求項６】
前記受け孔（７ａ・７ｂ）に突出部（４ａ・４ｂ）が、より確実に侵入するよう、受け孔（７ａ・７ｂ）をコの字状、円弧状等の形とし、１つの辺に折曲げ線を施し、その他の辺に切り目を施し、突出部（４ａ・４ｂ）の方に向かって突出した受け孔誘導片（８ａ・８ｂ）を形成することを特徴とする請求項１〜５のいずれかに記載の弾性圧縮可能な内容物を圧縮状態にて保持する箱。
【発明の詳細な説明】
【技術分野】
【０００１】
この発明は、ティッシュペーパー、フェイシャルティッシュ、トイレットペーパー、ペーパータオル、キッチンペーパー等の衛生用紙や女性用生理用品、乳児や老人用おしめ、スポンジ、綿、布等の弾性圧縮可能な内容物を圧縮状態にて保持する箱に関するものである。
【背景技術】
【０００２】
本発明は弾性圧縮可能な内容物を圧縮状態にて保持する箱に関するものであるので、前記のような内容物には全て対応することができるが、本発明内容を明確に説明するため、本明細書では、特にティッシュペーパー用の箱を例とし、記述する。
【０００３】
従来、繰り出し可能に折り畳んで積み重ねられたティッシュペーパー用の箱は、特に使用開始時においてティッシュペーパーの取り出しを容易にするため、ある程度その内部空間に余裕を持たせた高さに設計されている。
【発明の開示】
【発明が解決しようとする課題】
【０００４】
これは、次のような欠点があった。
ティッシュペーパー用の箱は、前述の通り、ある程度余裕を持った高さに設計されている。その為、出荷前の保管場所に広いスペースが必要となり、また運搬コストも高くついていた。また、販売店においても比較的安価な商品にかかわらず在庫を保管する倉庫や売り場での広いスペースを占有している。そして消費者においては通常、複数個（例えば５個）を１パックとして販売されているティッシュペーパーを持ち帰る際、そのサイズ故、不便を感じていた。本発明は以上のような欠点をなくすためになされたものである。
【課題を解決するための手段】
【０００５】
ティッシュペーパーを収納する箱内において弾性圧縮した状態で保持することにより、同じ枚数のティッシュペーパーを収納するにしても、これまでより箱の高さを低く設定することができ、少ないスペースでの保管、運搬が可能となりコスト安となる。また消費者においてもこれまでの持ち帰りの際や、保管の際にも不便を感じず、使用開始時まで弾性圧縮状態にて保持されたサイズのまま家庭内の棚等に保管することができる。
【０００６】
ティッシュペーパー用の箱を上箱と下箱にて構成する。天面から連接する4つの側面（１ａ・１ｂ・１ｃ・１ｄ）にて構成される上箱（１）と、底面から連接する4つ側面（２ａ・２ｂ・２ｃ・２ｄ）にて構成される下箱（２）とで構成されるティッシュペーパー用の箱において、例えば上箱の側面（１ａ）下端部に引っ掛け部である突出部（４ａ）を突出させて形成し、下箱の受け孔のある方に折り曲げておき、その受け部である受け孔（７ａ）を下箱の側面（２ａ）下端部に形成することにより、製品製造時にティッシュペーパーを弾性圧縮状態にて包装した上箱（１）と下箱（２）をティッシュペーパーの弾性、膨張性、もしくは積み重ねられたティッシュペーパー集合体の圧縮に対する反発力を利用して上箱が押し上げられることにより突出部（４ａ）と受け孔（７ａ）が引っ掛かることが可能となる。前記例では上箱に突出部を、下箱に受け孔を形成しているが、図８及び図９で示すように、この突出部と受け孔は上箱（１）に受け孔（７ａ）、下箱（２）に突出部（４ａ）が形成されていてもよい。
【０００７】
また、この上箱（１）と下箱（２）の引っ掛かり部は、突出部（４ａ）に連接した、ミシン目（６）を施した突出部連接片（５）を親指等により押し破ることにより、切り離し、容易に弾性圧縮保持機能を解除することができる形態となっており、解除後は、ティッシュペーパー自体の弾性、膨張性、もしくは圧縮に対する反発力により、上箱（１）が押し上げられ、ティッシュペーパーを天面の開口部（３）より取り出すのに充分な余裕を持った高さが回復され、使用開始時においてもティッシュペーパーを容易に取り出すことができる。
【０００８】
また、特にティッシュペーパー等の衛生用紙を収納する箱としては、その衛生上から使用時においても、箱が閉じている状態が望ましいが、前記弾性圧縮保持機能が解除された後、ティッシュペーパーの使用中に上箱（１）と下箱（２）が抜けて離れることを防ぐため、例えば上箱の側面（１ａ）下端部に突出部（４ｂ）を突出して形成し、下箱の受け孔がある方に折り曲げておき、下箱の側面（２ａ）上端部に受け孔（７ｂ）を形成し、圧縮されたティッシュペーパー集合体がその反発力で上箱を押し上げた際も、あるいは消費者の手で上箱を持ち上げた際も、突出部（４ｂ）が受け孔（７ｂ）に引っ掛かり、上箱と下箱が抜けて離れることを防ぐことができ、本機能を利用すれば、上箱と下箱の構成であっても、容易に箱が抜けて離れ、非衛生になることはない。
【０００９】
また、請求項４に示すように、前記突出部（４ａ・４ｂ）と受け孔（７ａ・７ｂ）が引っ掛かる際、平行する２つの側面（例えば２ｂ・２ｄ）から連接する１対のフラップ（１０ａ・１０ｂ）とそのフラップに、部分的に接着剤等により接合された接合相手の側面（例えば２ａ）との間に突出部（４ａ・４ｂ）が侵入し、フラップ（１０ａ・１０ｂ）と側面（２ａ）との間に挟まれることにより、図５に示すように、受け孔（７ａ・７ｂ）と侵入した突出部（４ａ・４ｂ）との接点（１３）が、いわゆる梃子の原理の支点の役割を果たし、内容物の反発力等により突出部（４ａ・４ｂ）が開こうとする力をフラップ（１０ａ・１０ｂ）が支える効果を発揮し、引っ掛かる力が強化される。そのため、フラップ（１０ａ・１０ｂ）と側面（２ａ）の間には突出部（４ａ・４ｂ）が侵入可能となる隙間を設ける必要があり、フラップ（１０ａ・１０ｂ）は部分的に接着剤等により側面（２ａ）と接合されていることを特徴とする。その接着剤等を塗布する位置は、受け孔（７ａ・７ｂ）がそれぞれ抜け止める機能を発揮できる位置であればどこでも良いが、好ましくは図６に示すように、受け孔（７ａ）の両横、受け孔（７ｂ）の下が望ましい。
【００１０】
また、請求項５に示すように、２つの面の間に突出部（４ａ・４ｂ）を侵入させて、挟むことにより保持力を持たせる別の方法として、受け孔（７ａ・７ｂ）を有する側面（２ａ）から連接して、折り返した連接片（１２）を形成することにより、側面（２ａ）と連接片（１２）の２面の間に突出部（４ａ・４ｂ）が侵入することが可能となる。
【００１１】
また、前記突出部（４ａ・４ｂ）が、より確実に受け孔（７ａ・７ｂ）に侵入するよう、受け孔誘導片（８ａ・８ｂ）を受け孔（７ａ・７ｂ）に連接して形成する。この受け孔誘導片（８ａ・８ｂ）はコの字状、円弧状等の形であって、側面と連接する１つの辺には折り曲げ線を施し、その他の辺には切り目を施して切り離し、折り曲げ線に沿って突出部（４ａ・４ｂ）がある方へ折り曲げて突出しておく。突出部（４ａ・４ｂ）はティッシュペーパーの圧縮に対する反発力、あるいは消費者の手によって持ち上げられた時、受け孔誘導片（８ａ・８ｂ）に接触し、受け孔（７ａ・７ｂ）へと、より確実に誘導されていく。
本発明は、以上の構成によりなる弾性圧縮可能な内容物を圧縮状態にて保持する箱である。
【発明の効果】
【００１２】
前記のように、弾性圧縮可能な内容物を圧縮し、これまでよりも高さを低く設定することが可能となった箱は、保管の際にも無駄なスペースを必要とせず、また運搬に際しても大幅なコストダウンを計れる。消費者においても商品持ち帰りの際の煩わしさから開放され、家庭内の棚等も有効利用できる効果が期待できる。
【００１３】
さらには、従来のティッシュペーパーの箱では、ティッシュペーパーの残量が少なくなった時に天面の開口部からティッシュペーパーが抜け落ち、再度、指を入れて残りのティッシュペーパー等を引き上げていた。本発明の構造では、ティッシュペーパーの残量に合わせて、上箱（１）がそれ自体の重量や、消費者の指の接触により、序々に下降していくため最後までこのような煩わしさを感じることがない。
【発明を実施するための最良の形態】
【００１４】
以下、本発明を実施するために最良の形態について図を参照に説明する。  
【実施例１】
【００１５】
図１及び図２は、上箱（１）と下箱（２）により構成された弾性圧縮可能な内容物を圧縮状態で保持する箱であって、天面から連接する4つの側面（１ａ・１ｂ・１ｃ・１ｄ）にて構成される上箱（１）と、底面から連接する4つの側面（２ａ・２ｂ・２ｃ・２ｄ）にて構成される下箱（２）とで構成されている。それぞれに接する１対以上の側面に突出部（４ａ・４ｂ）と、その受け部である受け孔（７ａ・７ｂ）を形成することにより、製品製造時にティッシュペーパーを圧縮状態にて包装した上箱（１）と下箱（２）をティッシュペーパーの圧縮に対する反発力を利用して引っ掛けることができる。
【００１６】
図３は、前記突出部連接片（５）を消費者の親指等により押し破り、その延長上に連接する突出部（４ａ）と共に取り除いた突出部と突出部連接片（９）を示している。消費者は上箱（１）の側面（１ａ）に形成されたミシン目（６）を施された突出部連接片（５）を押し込むことにより破壊し、連接された突出部（４ａ）を容易に取り外すことができる。引っ掛かり部を解除された上箱はティッシュペーパー集合体の圧縮に対する反発力により押し上げられる、もしくは、消費者の手により引き上げられるが、突出部（４ｂ）が受け孔（７ｂ）に引っ掛かるため、上箱（１）と下箱（２）は抜けて離れることはない。
【００１７】
図４は、下箱（２）の側面（２ｂ・２ｄ）に連接するフラップ（１０ａ・１０ｂ）を受け部（７ａ・７ｂ）を有する側面（２ａ）に接着剤等により接合することを示している。
【００１８】
図５は、前記突出部部（４ａ）が受け孔（７ａ）に侵入した際、フラップ（１０ａ・１０ｂ）により側面（２ａ）との間に挟まれ、弾性圧縮可能な内容物の弾性、膨張性等により押し上げられ、突出部（４ａ）と受け孔（７ａ）の接点（１３）がいわゆる梃子の原理の支点の役割を果たし、引っ掛かっている状態を示している。また、受け孔誘導片（８ａ）によって、より確実に受け孔（７ａ）に侵入することが解る。また、図５には示していないが、上箱が抜けて離れることを防止するための突出部（４ｂ）および受け孔（７ｂ）においてもこのフラップ（１０ａ・１０ｂ）は同様の作用がある。
【００１９】
図６は、一対のフラップ（１０ａ・１０ｂ）を側面（２ａ）に接着剤等により接合する際の理想的な塗布の位置（１１ａ・１１ｂ）の例である。受け孔（７ａ・７ｂ）から侵入した突出部（４ａ・４ｂ）は、フラップ（１０ａ・１０ｂ）により側面（２ａ）との間に挟まれることにより、より強い保持力を有する。故に突出部（４ａ・４ｂ）が侵入する隙間とある程度柔軟にフラップ（１０ａ・１０ｂ）が曲がることができる塗布の位置（１１ａ・１１ｂ）を示している。
【００２０】
図７は、受け孔（７ａ・７ｂ）を有する側面（２ａ）から連接して、箱の内側に折り返した連接片（１２）を形成することにより、側面（２ａ）と連接片（１２）の２面の間に突出部（４ａ・４ｂ）が侵入することが可能となる例を示している。
【実施例２】
【００２１】
図８及び図９は、上箱（１）に受け孔（７ａ）、下箱（２）に突出部（４ａ）を形成した例を示した。この場合も消費者は上箱の受け孔（７ａ）より下方に突き出た下箱の突出部（４ａ）を上方へ折り上げることで連結部を容易に解除することができる。図９は圧縮された内容物が上箱を押し上げる力を利用して、突出部（４ａ）と受け孔（７ａ）が引っ掛かっている状態を示している。
【００２２】
前述したが、本発明を明確に説明するため、ティッシュペーパーの箱を例とし、説明してきたが、本発明は、弾性圧縮可能な内容物であればどのようなものでも利用できる箱である。
【図面の簡単な説明】
【００２３】
【図１】本発明の上箱と下箱の斜視図である。
【図２】上箱と下箱が弾性圧縮状態にて連結している状態を示す斜視図である。
【図３】上箱の突出部連接片を切り取り、弾性圧縮状態での保持力が解除された状態を示す斜視図である。
【図４】フラップの状態を示した斜視図である。
【図５】突出部が受け孔に侵入し、側面とフラップの間に侵入することにより引っ掛かっている状態を示す断面図である。
【図６】側面とフラップを接合するための接着剤を塗布する位置の例を示した側面図である。
【図７】受け孔を有する側面から連接する連接片を示した斜視図である。
【図８】上箱に受け孔を、下箱に突出部を形成した例を示す斜視図である。
【図９】図８の上箱と下箱が連結されている状態を示す斜視図である。
【符号の説明】
【００２４】
１    上箱
１ａ・１ｂ・１ｃ・１ｄ    上箱の４つの側面
２    下箱
２ａ・２ｂ・２ｃ・２ｄ    下箱の4つの側面
３    開口部（ティッシュペーパー等の取り出し口）
４ａ  突出部（弾性圧縮状態で保持する引っ掛け部）
４ｂ  突出部（上箱と下箱が抜けて離れることを防止する引っ掛け部）
５    突出部連接片
６    ミシン目
７ａ  受け孔（弾性圧縮状態を保持する受け部）
７ｂ  受け孔（上箱と下箱が抜けて離れることを防止する受け部）
８ａ  受け孔誘導片（弾性圧縮状態を保持する受け孔に連接して形成された誘導片）
８ｂ  受け孔誘導片（上箱と下箱が抜けて離れることを防止する受け孔に連接して形成された誘導片）
９    突出部と突出部連接片（切り取った状態）
１０ａ・１０ｂ  フラップ
１１ａ・１１ｂ  接着剤塗布場所の例
１２    受け孔を有する側面から連接する連接片
１３    突出部と受け孔の接点
【図１】
2009179359.tif 000003
【図２】
2009179359.tif 000004
【図３】
2009179359.tif 000005
【図４】
2009179359.tif 000006
【図５】
2009179359.tif 000007
【図６】
2009179359.tif 000008
【図７】
2009179359.tif 000009
【図８】
2009179359.tif 000010
【図９】
2009179359.tif 000011